(57)【要約】      （修正有）【課題】トイレ使用の際、より簡単な機構により、いち早く消臭機能を発揮し、安価な消臭装置を提供する。【解決手段】トイレ使用の際、便座に座ってから立ち上がるまでの間に、自動的に滴下ノズル２２から数滴の消臭剤を便器内に滴下させて、水面を消臭状態にし、その後に、自動的に噴霧ノズル２３から消臭剤を噴霧散布させて便器内を更に消臭状態にすることができるようにし、消臭中はＬＥＤ等の表示灯２５を点灯して『消臭中』の文字を投影したり、“Ｐi，Ｐi”と音を出して、作業確認をすることができる機能を備えた。【選択図】図１
2011094398.tif 000002
【特許請求の範囲】
【請求項１】
トイレ使用前に、便座に座ると、自動的に消臭剤を噴霧散布させて便器内を消臭状態にすることができることを特徴とする消臭装置。
【請求項２】
トイレ使用後に、便座から立ち上がると、自動的に数滴の消臭剤を便器内に滴下させて消臭状態にすることができることを特徴とする請求項１に記載の消臭装置。
【請求項３】
トイレ使用時に、便座に座ってから立ち上がるまでの間に、自動的に数滴の消臭剤を便器内に滴下させて消臭状態にし、その後に、自動的に消臭剤を噴霧散布させて便器内を消臭状態にする。その際に、ＬＥＤ等を点灯し、『消臭中』の文字を投影することにより、作業確認をすることができることを特徴とする請求項１〜２のいずれか１項に記載の消臭装置。
【請求項４】
トイレ使用時に、便座に座ってから立ち上がるまでの間に、自動的に数滴の消臭剤を便器内に滴下させて消臭状態にし、その後に、自動的に消臭剤を噴霧散布させて便器内を消臭状態にする。夫々の作業の開始時に“Pi，Pi”と音を出して、作業確認をすることができることを特徴とする請求項１〜３のいずれか１項に記載の消臭装置。
【請求項５】
一般使用されている様々の形態の便器枠に、容易に取り付けることのできることを特徴とする請求項１〜４のいずれか１項に記載の消臭装置。
【発明の詳細な説明】
【技術分野】
【０００１】
本発明は、トイレにおける洋式便器に付帯する消臭装置に関し、特に消臭効率も時間的に早く、且つ消臭効果時間も長い消臭装置に関する。  
【背景技術】
【０００２】
従来、トイレを使用する際、使用前後に消臭スプレーを噴霧したり、据え置きの消臭剤で悪臭に対応していた。
【０００３】
このようなことをしていると、慌ただしく、また、さほどの効果もなく、次のトイレ使用者を迎えることになり、悪臭の処理も中途半端になることになる。
【０００４】
そこで、トイレにおける消臭装置として、下記特許文献に開示されるような、備え付け型消臭剤や吸引ファンが知られている。
【先行技術文献】
【特許文献】
【０００５】
【特許文献１】特開平０５−２９５７７７号公報
【特許文献２】特開平０８−０００５０３号公報
【特許文献３】特開平０８−２１８４６４号公報
【特許文献４】特開平１１−２９９７０５号公報
【発明の概要】
【発明が解決しようとする課題】
【０００６】
上記先行技術における課題は、次の通りである。洋式便器において悪臭の処理における、前記「先行技術文献」の 「特許文献１」特開平０５−２９５７７７号及び 「特許文献２」特開平０８−０００５０３号に記載の “備え付け型消臭剤”が作用される際、消臭作用はするものの、短時間での消臭効果を得るには、難しかった。また、前記「先行技術文献」の 「特許文献３」特開平０８−２１８４６４号及び 「特許文献４」特開平１１−２９９７０５号に記載の“消臭装置（吸引ファン）”が作用される際、短時間での消臭効果を得ることはできるものの、取り付け加工や電気工事を必要として煩わしく、費用も嵩むと考えられる。
【０００７】
本発明は、上記実情に鑑みてなされたものであり、その課題は、トイレの使用の際、いち早く消臭機能を発揮し、且つ、電気工事が不要で、費用の嵩まない安価な消臭装置を提供するものである。          
【課題を解決するための手段】
【０００８】
上記課題を解決するため本発明に係る消臭装置は、トイレ使用時に、便座に座ってから立ち上がるまでの間に、自動的に数滴の消臭剤を便器内に滴下させて消臭状態にし、その後に、自動的に消臭剤を噴霧散布させて便器内を消臭状態にし、更に、その際にＬＥＤ等を点灯し、『消臭中』の文字を投影することにより、作業確認をすることができ、更にまた、前記夫々の作業の開始時に“Pi，Pi”と音を出して、作業確認をすることもできることを特徴とするものである。
【発明の効果】
【０００９】
この発明の構成による消臭装置の作用・効果は、以下の通りである。まず、便器の淵横部に座って支障のないところに、本発明の消臭装置を固定するための芯地としての金属板等の入った耐水性幅広バンドとそのバンドに付帯された位置固定のための吸盤付きの消臭装置との機構により構成されている。また、トイレ使用時に、便座に座ってから立ち上がるまでの間に、自動的に数滴の消臭剤を便器内に滴下させて水面を消臭状態にし、その後に、自動的に消臭剤を噴霧散布させて便器内を消臭状態にすることができるように、より簡単な機構により、いち早く消臭機能を発揮し、安価な消臭装置を提供することができた。
【００１０】
更に、本発明は、トイレ使用時に、便座に座ってから立ち上がるまでの間に、ＬＥＤ等を点灯し、『消臭中』の文字を投影することにより、作業確認をすることができるように構成されている。
【００１１】
また、本発明は、トイレ使用時に、便座に座ってから立ち上がるまでの間に前記夫々の作業開始時に“Pi，Pi”と音を出して、作業確認をすることができる。
【００１２】
よって、耳の不自由な方や目の不自由な方は、勿論のこと、一般の方にも消臭作業を行なったことの安堵感を提供することができる。
【００１３】
更に、前記消臭作業手段は、前記消臭装置の形状が異なるものが複数用意されており、用途に応じていずれかの消臭作業手段が設けられるように構成することが好ましい。
【００１４】
更にまた、本発明は、便座と便器の間に前記消臭装置の保持用幅広バンドを通し、便器の横部分に付帯することがより好ましい。
【００１５】
これにより、いち早く消臭機能を発揮し、作業確認のできる安堵感の高い消臭装置を提供することができる。
【発明を実施するための形態】
【００１６】
本発明に係るトイレ用消臭装置の好適な実施形態を図面を用いて説明する。図１は、洋式便器に付帯するトイレ用消臭装置（以下、単に「消臭装置」という）の外観構成を示す斜視図、図２は洋式便器に装着した消臭装置の外観構成を示す斜視図、図３は洋式便器に装着したトイレ用消臭装置の側面方向の断面図、図４は静止状態における機能正面図、図５は作用（滴下）状態における機能正面図、図６は作用（噴霧）状態における機能正面図、図７は作用状態における消臭装置の『消臭中』の表示の状態を示す図である。
【００１７】
各図に示すように、消臭装置２０は、消臭装置ケース内に消臭剤ユニット５２と作用状態を示す作用表示灯２５と電池を含む電源ユニット５１を備えている。芯地としての金属板等の入った耐水性幅広バンド２６に吸盤付きの消臭装置２０が保持されている。また、各ノズル２２、２３は、消臭剤ユニット５２と直結され、プッシュボタン２１の押下により各ノズル２２、２３が作用し、それに伴い、作用表示灯２５が点灯し、同時に“Pi，Pi”と音を出して、作業確認をすることができるように設定されている。
【００１８】
図１では、消臭装置２０に電池ユニット５１と消臭剤ユニット５２、更に、『消臭中』表示灯２５とが内蔵されている。また、消臭装置２０の上部には、プッシュボタン２１、滴下ノズル２２、噴霧（スプレー）ノズル２３が、配置されており、耐水性幅広バンド２６で洋式便器１０の便器本体１１で保持、固定されている。
【００１９】
図２においては、消臭装置２０の設置場所を詳しく説明する。                
洋式便器１０の便器本体１１の便座載置用縁部１１２に、便座１２に座って、邪魔にならない位置に消臭装置２０を設置する。また、滴下ノズル２２、噴霧（スプレー）ノズル２３は、耐水性幅広バンド２６の上方を通過し、便座載置用縁部１１２の開口部１１１側に夫々のノズル２３の先を位置するように形成されている。
【００２０】
図３においては、更に詳しく、消臭装置２０の設置場所を詳しく説明する。前記消臭装置２０は、便座縁部１１６の横中央部付近に位置し、前記消臭装置２０に付帯する耐水性幅広バンド２６及び前記ノズル２２，２３を便座載置用縁部１１２と便座１２の間、即ち、便座クッション凸部１２３の間隔を通過させるように形成されている。更に、前記耐水性幅広バンド２６には、前記便座１２の揺動端部１２aと内側縁部１２bに保持・固定するために、吸盤を設けるように形成されている。  
【００２１】
＜消臭作用の機構構成＞
次に、消臭作用の機構構成を説明する。まず、消臭作用の機構構成を図４、図５、図６で示して、説明する。図４は静止状態における機能正面図を示す。消臭装置２０は、電池ユニット５１と消臭剤ユニット５２、更に、『消臭中』表示灯２５とが内蔵されている。また、前記表示灯２５においては、前記電池ユニット５１にタイマーＩＣが内蔵しており、一定時間点灯させておくことができる。更にまた、消臭作用の度に前記プッシュボタン２１が駆動するため、前記電池ユニット５１に内蔵された圧電ブザーが、“Pi，Pi”となるように形成されている。
【００２２】
＜作用＞
次に、消臭作用を説明する。図５は、本実施形態に係る便座１２に座った時の消臭装置２０の作用を説明する。便座１２に座ると、便座載置用縁部１１２と前記便座１２の間、即ち、便座クッション凸部１２３の間隔に位置するプッシュボタン２１が押下され、プッシュボタン軸棒支持部５５a、可動連結軸部５５ｂも連動し、消臭剤ユニット５２より消臭剤を吸い上げ、滴下ノズル２２から数滴、滴下させるよう形成されている。          
【００２３】
次に、図６は、本実施形態に係る便座１２から立ち上がった時の消臭装置２０の作用を説明する。便座１２から立ち上がると、プッシュボタン２１が駆動バネ５３の作用で元の位置に引き戻され、プッシュボタン軸棒支持部５５a、可動連結軸部５５ｂも連動し、消臭剤ユニット５２より消臭剤を吸い上げ、噴霧（スプレー）ノズル２３から、噴霧（スプレー）させるよう形成されている。
【００２４】
次に、図７は、便座１２に座ると、プッシュボタン２１が押下され、プッシュボタン軸棒支持部５５aに設けた入力接点で入電し、ＬＥＤ等の表示灯２５を点灯し、『消臭中』の文字を任意の一定時間投影することができる。また、便座１２から立ち上がった時も、同様の作用をすることができる。また、更に、前記入力接点の作用で、便座に座った時も、立ち上がった時も、何れの時も圧電ブザーが、“Pi，Pi”となるように形成されている。
【００２５】
本実施形態では、駆動バネ付帯のプッシュボタンを利用して、作用スイッチとしているが、これに限定されるものではない。また、駆動バネおいては、便座を軽く押し上げる程度のものでよい。さらに、使用頻度により消臭剤の容量等に応じて消臭装置本体を大きくしたり、作用スイッチを変更したり、複数用意することもでき、適宜変更可能である。
【図面の簡単な説明】
【００２６】
【図１】トイレ用消臭装置の外観構成を示す図
【図２】洋式便器に装着したトイレ用消臭装置の外観構成を示す斜視図
【図３】洋式便器に装着したトイレ用消臭装置の側面方向の断面図
【図４】静止状態における機能正面図
【図５】便座に座った時の作用（滴下）状態における機能正面図
【図６】便座から立ち上がった時の作用（噴霧）状態における機能正面図
【図７】作用状態におけるトイレ用消臭装置の状態を示す図
【産業上の利用可能性】
【００２７】
従来、トイレを使用する際、使用前後に消臭スプレーを噴霧したり、据え置きの消臭剤で悪臭に対応していた。このようなことをしていると、慌ただしく、また、さほどの効果もなく、次のトイレ使用者を迎えることになり、悪臭の処理も中途半端になることになる。そこで、トイレにおける消臭装置として、備え付け型消臭剤や吸引ファンが知られているが、取り付け加工や電気工事を必要として煩わしく、費用も嵩み、種々の弊害を生じさせる。
【００２８】
本発明の消臭装置を使用することで、いち早く消臭機能を発揮し、安価な消臭装置を提供することができ、快適に、且つ、経済的に生活することができる。また、ＬＥＤ等を点灯し、『消臭中』の文字を投影したり、“Pi ，Pi”と音を出して、作業確認のできる機能を備えたことにより、耳の不自由な方や目の不自由な方は、勿論のこと、一般の方にも消臭作業を行なったことの安堵感を提供することができる。
【符号の説明】
【００２９】
１０    洋式便器
１１    便器本体  
１２    便座
１３    蓋  
２０    消臭装置（本体）
２１    プッシュボタンスイッチ
２２    滴下ノズル
２３    噴霧（スプレー）ノズル
２５    『消臭中』表示灯
２６    保持用幅広バンド
２７    『消臭中』表示場所
３１    水洗用貯水タンク
５１    電池ユニット（タイマーＩＣ、圧電ブザー内蔵）
５２    消臭剤ユニット
５３    駆動バネ
５４    回転支持部
５５ａ  プッシュボタン軸棒支持部
５５ｂ  可動連結軸部
１１１    開口部
１１２    便座載置用縁部
１１５    支持部
１１６    便座縁部
１２１    便座基部
１２２・１３２  枢軸ピン
１２３    便座クッション凸部
１３１    便座カバー基部  
【図１】
2011094398.tif 000003
【図２】
2011094398.tif 000004
【図３】
2011094398.tif 000005
【図４】
2011094398.tif 000006
【図５】
2011094398.tif 000007
【図６】
2011094398.tif 000008
【図７】
2011094398.tif 000009